(57)【要約】【課題】紛失や故意による取り替えなどが生じ難いタグホルダーを提供する。【解決手段】板状のタグを収容するとともに、ガスボンベのネックリングにネジ結合した状態で、スリット部を挟んで所定の間隔を空けて設けられた一対の凸部をネジおよびナットにより固定し、上記ネジおよび上記ナットによって、上記一対の凸部の上記所定の間隔を狭めて上記ネックリングに固定される保護部材に取り付けられるタグホルダーであって、ＸＹＺ直交座標系におけるＸ軸方向に延設された略直方体形状に形成され、上記タグを収容する収容手段と、上記収容手段においてＹ軸方向に沿って延設され、上記ネジを挿入可能な孔または長孔が形成された固定手段とを有し、上記固定手段は、上記一対の凸部の間に挿入された後、上記一対の凸部とともに上記ネジが挿入され、上記ネジおよび上記ナットにより上記一対の凸部の間に固定されるようにした。【選択図】        図５
2015114720.tif 000002
【特許請求の範囲】
【請求項１】
板状のタグを収容するとともに、ガスボンベのネックリングにネジ結合した状態で、スリット部を挟んで所定の間隔を空けて設けられた一対の凸部をネジおよびナットにより固定し、前記ネジおよび前記ナットによって、前記一対の凸部の前記所定の間隔を狭めて前記ネックリングに固定される保護部材に取り付けられるタグホルダーであって、
ＸＹＺ直交座標系におけるＸ軸方向に延設された略直方体形状に形成され、前記タグを収容する収容手段と、
前記収容手段においてＹ軸方向に沿って延設され、前記ネジを挿入可能な孔または長孔が形成された固定手段と
を有し、
前記固定手段は、前記一対の凸部の間に挿入された後、前記一対の凸部とともに前記ネジが挿入され、前記ネジおよび前記ナットにより前記一対の凸部の間に固定される
ことを特徴とするタグホルダー。
【請求項２】
請求項１に記載のタグホルダーにおいて、
前記収容手段は、前記固定手段が延設されていない方向に突出するように湾曲している
ことを特徴とするタグホルダー。
【請求項３】
請求項１または２のいずれか１項に記載のタグホルダーにおいて、さらに、
前記収容手段と前記固定手段との接合を補強する補強手段と
を有することを特徴とするタグホルダー。
【請求項４】
請求項１、２または３のいずれか１項に記載のタグホルダーにおいて、さらに、
前記収容手段における前記固定手段が延設された面から、Ｙ軸方向に沿って延設された延設部と
を有することを特徴とするタグホルダー。
【請求項５】
請求項１、２、３または４のいずれか１項に記載のタグホルダーにおいて、
前記収容手段は、前記固定手段が延設された面と対向する面において凹部が形成され、前記凹部に前記タグを固定した後、前記凹部に前記凹部と略一致する蓋を取り付けることにより、前記タグを収容する
ことを特徴とするタグホルダー。
【請求項６】
請求項１、２、３、４または５のいずれか１項に記載のタグホルダーにおいて、
前記収容手段および前記固定手段は、ＰＰＥ樹脂により作製される
ことを特徴とするタグホルダー。
【発明の詳細な説明】
【技術分野】
【０００１】
本発明は、タグホルダーに関し、さらに詳細には、ＲＦＩＤ（Ｒａｄｉｏ  Ｆｒｅｑｕｅｎｃｙ  Ｉｄｅｎｔｉｆｉｃａｔｉｏｎ）タグなどの板状の各種のタグを保持し、高圧ガスボンベに取り付けることが可能なタグホルダーに関する。
【背景技術】
【０００２】
水素ガス、酸素ガス、窒素ガス、炭酸ガス、アセチレンガス、プロパンガスなどの高圧ガスを収容するガスボンベには、高圧ガス保安法などの法規制により、容器検査などを定期的に行うことが定められている。
【０００３】
また、こうしたガスボンベは、一般的に、使用後に回収されて再利用されることとなる。
【０００４】
従って、容器検査や回収先の特定などといった管理のために、回収したガスボンベを特定する作業が行われる。
【０００５】
このようなガスボンベを特定する作業においては、例えば、ガスボンベそれぞれに識別番号などを記録したＲＦＩＤタグが取り付けられ、このＲＦＩＤタグに記憶された情報を読み込んで、ガスボンベそれぞれを特定することとなる。
【０００６】
ここで、ＲＦＩＤタグをガスボンベに取り付けるには、一般的に、ＲＦＩＤタグを収容可能なタグホルダーが用いられる。
【０００７】
こうしたタグホルダーは、具体的には、ＲＦＩＤタグを収容するケースに結束バンドやリング状の取付部が配設されるようにして構成され、この結束バンドや取付部をガスボンベのネックリング部分などに掛けることにより、ガスボンベに取り付けられている（図１（ａ）を参照する。）。
【０００８】
このとき、結束バンドや取付部は、容易に取り付けることが可能なように、バルブを保護する保護部材やネックリングの径より大きい径となるように設計される。
【０００９】
しかしながら、結束バンドやリング状の取付部の径が、ネックリングなどの径より大きい径となるように設計されていると、タグホルダーの紛失や、故意または過失での取り替え事故が簡単に発生してしまっていた。
【００１０】
さらに、運搬時の振動などによりタグホルダーが回転してしまい、ＲＦＩＤタグを所定の方向に一定に固定することができないものであった。
【００１１】
こうした問題点を解決するための技術として、ＲＦＩＤタグをシリコン製のシールによりガスボンベに固定するタグホルダー（図１（ｂ）を参照する。）や、ＲＦＩＤタグを収容する収容部にリング状の固定部を設けるようにし、このリング状の固定部がネックリングと保護部材とに挟まれて固定されるようにしたタグホルダー（図２（ａ）（ｂ）を参照する。）が知られている。
【００１２】
こうした技術により、ＲＦＩＤタグの紛失や、故意による取り替え事故が生じることが少なくなるとともに、ＲＦＩＤタグを所定の方向に一定に固定することができるようになる。
【００１３】
しかしながら、ＲＦＩＤタグをシリコン製のシールによりガスボンベに固定するタグホルダーでは、金属製のガスボンベとＲＦＩＤタグとの間に遮蔽板を設置しなければならず、コスト高を招来してしまっていた。
【００１４】
また、ガスボンベの洗浄の際にシールが剥がれてしまい、ＲＦＩＤタグがガスボンベから剥がれてしまうことがあった。
【００１５】
そして、洗浄によりシールが剥がれた際に、ガスボンベの塗装も剥がしてしまい、塗装の剥がれた部分から錆びが発生してしまうなどの問題が生じていた。
【００１６】
また、リング状の固定部をネックリングと保護部材とで固定するようにしたタグホルダーでは、ＲＦＩＤタグを垂直方向（図２（ａ）を参照する。）あるいは水平方向（図２（ｂ）を参照する。）に収容する構成となっている。
【００１７】
ここで、こうしたタグホルダーが取り付けられたガスボンベは、車両の荷台に複数積載されて、ＲＦＩＤリーダライターが設置されたゲートを通過することで、複数のガスボンベそれぞれに取り付けられたタグホルダーに収容されたＲＦＩＤタグから情報を取得する場合がある。
【００１８】
この場合、タグホルダーにおいてＲＦＩＤタグが垂直方向で取り付けられていると、ＲＦＩＤリーダライターがゲートを通過するガスボンベの側方側に設置されているとき（図３（ａ）を参照する。）には、問題なくＲＦＩＤタグに記憶された情報を取得することができる。しかしながら、ＲＦＩＤリーダライターがゲートを通過するガスボンベの上方側に設置されているとき（図３（ｂ）を参照する。）には、ＲＦＩＤタグに記憶された情報を読み込むことができないガスボンベが発生してしまう。
【００１９】
また、タグホルダーにおいてＲＦＩＤタグが水平方向で取り付けられていると、ＲＦＩＤリーダライターがゲートを通過するガスボンベの上方側に設置されているとき（図３（ｂ）を参照する。）には、問題なくＲＦＩＤタグに記憶された情報を取得することができる。しかしながら、ＲＦＩＤリーダライターがゲートを通過するガスボンベの側方側に設置されているとき（図３（ａ）を参照する。）には、ＲＦＩＤタグに記憶された情報を読み込むことができないガスボンベが発生してしまう。
【００２０】
即ち、リング状の固定部をネックリングと保護部材とで固定するようにしたタグホルダーでは、ＲＦＩＤリーダライターの設置位置によりＲＦＩＤタグからの情報を取得し難くなってしまっていた。
【００２１】
ところで、ガスボンベにおいては、バルブを保護するために各種の形状の保護部材が利用されている。こうした保護部材においては、例えば、図４に示すような、略釣り鐘形状の保護部材が使用される。
【００２２】
即ち、図４に示す保護部材１００は、略釣り鐘形状であって、上部に開口部１０１が形成されるとともに前方側に開口部１０２が形成され、後方側にスリット部１０４が形成されている。
【００２３】
また、保護部材１００の内周面下方側には、ネックリングに形成されたネジ溝とネジ結合するネジ溝１０６が形成されている。
【００２４】
さらに、保護部材１００の外周面下方側には、凸部１０８ａ、１０８ｂが配設されており、凸部１０８ａと凸部１０８ｂとは、スリット部１０４を挟んで配設されている。
【００２５】
凸部１０８ａには孔１０８ａ−１が形成されており、凸部１０８ｂには孔１０８ａ−１と同じ径の孔１０８ｂ−１が形成されている。なお、この孔１０８ａ−１、１０８ｂ−１は、後述するネジ１１０が挿入可能な径に設計されている。
【００２６】
この保持部材１００をネックリングに固定する際には、まず、ネックリングに形成されたネジ溝と内周面下方側に形成されたネジ溝１０６とをネジ結合させる。
【００２７】
その後、凸部１０８ａに設けられた孔１０８ａ−１と、凸部１０８ｂに設けられた孔１０８ｂ−１とに、ネジ１１０を挿入しナット１１２にネジ結合させて、ネジ１１０とナット１１２とにより、凸部１０８ａと凸部１０８ｂとの間に形成されたスリット部１０４の間隔を狭めるようにする。
【００２８】
これにより、ネックリングのネジ溝に、内周面下方側に形成されたネジ溝１０６が強固に密着した状態で保持部材１００がネックリングに固定されることとなり、容易に保持部材１００がネックリングから外れなくなる。
【００２９】
従って、こうした構成の保護部材１００において、ネジ１１０およびナット１１２により固定する機構にタグホルダーを固定することができれば、タグホルダーの紛失や故意による取り替え事故などの防止やＲＦＩＤタグの所定の方向への固定が可能になることが期待できる。
【００３０】
しかしながら、保護部材１００におけるネジ１１０による固定機構に固定することができるタグホルダーはなかった。
【００３１】
このため、保護部材１００に形成された固定機構を利用して固定でき、安価で作成することができるとともに、タグホルダーの紛失や故意による取り替え事故などが生じ難く、ＲＦＩＤタグを所定の方向に固定することができるようにしたタグホルダーの提案が望まれていた。
【００３２】
さらに、ＲＦＩＤリーダライターの設置位置によらず、ＲＦＩＤタグからの情報を確実に取得することのできるタグホルダーの提案が望まれていた。
【００３３】
なお、本願出願人が特許出願時に知っている先行技術は、上記において説明したようなものであって文献公知発明に係る発明ではないため、記載すべき先行技術情報はない。
【発明の概要】
【発明が解決しようとする課題】
【００３４】
本発明は、従来の技術の有する上記したような要望に鑑みてなされたものであり、その目的とするところは、安価に作製することが可能であるとともに、紛失や故意による取り替えなどが生じ難いタグホルダーを提供しようとするものである。
【００３５】
また、本発明の目的とするところは、ＲＦＩＤタグをガスボンベにおける所定の方向に固定することが可能なタグホルダーを提供しようとするものである。
【００３６】
また、本発明の目的とするところは、ＲＦＩＤタグからの情報を確実に取得することができるタグホルダーを提供しようとするものである。
【課題を解決するための手段】
【００３７】
上記目的を達成するために、本発明は、板状のタグを収容するとともに、ガスボンベのネックリングにネジ結合した状態で、スリット部を挟んで所定の間隔を空けて設けられた一対の凸部をネジおよびナットにより固定し、上記ネジおよび上記ナットによって、上記一対の凸部の上記所定の間隔を狭めて上記ネックリングに固定される保護部材に取り付けられるタグホルダーであって、ＸＹＺ直交座標系におけるＸ軸方向に延設された略直方体形状に形成され、上記タグを収容する収容手段と、上記収容手段においてＹ軸方向に沿って延設され、上記ネジを挿入可能な孔または長孔が形成された固定手段とを有し、上記固定手段は、上記一対の凸部の間に挿入された後、上記一対の凸部とともに上記ネジが挿入され、上記ネジおよび上記ナットにより上記一対の凸部の間に固定されるようにしたものである。
【００３８】
また、本発明は、上記した発明において、上記収容手段は、上記固定手段が延設されていない方向に突出するように湾曲しているようにしたものである。
【００３９】
また、本発明は、上記した発明において、さらに、上記収容手段と上記固定手段との接合を補強する補強手段とを有するようにしたものである。
【００４０】
また、本発明は、上記した発明において、さらに、上記収容手段における上記固定手段が延設された面から、Ｙ軸方向に沿って延設された延設部とを有するようにしたものである。
【００４１】
また、本発明は、上記した発明において、上記収容手段は、上記固定手段が延設された面と対向する面において凹部が形成され、上記凹部に上記タグを固定した後、上記凹部に上記凹部と略一致する蓋を取り付けることにより、上記タグを収容するようにしたものである。
【００４２】
また、本発明は、上記した発明において、上記収容手段および上記固定手段は、ＰＰＥ樹脂により作製されるようにしたものである。
【発明の効果】
【００４３】
本発明は、以上説明したように構成されているので、安価に作製することが可能であるとともに、紛失や故意による取り替えなどが生じ難いという優れた効果を奏する。
【００４４】
また、本発明は、以上説明したように構成されているので、ＲＦＩＤタグをガスボンベにおける所定の方向に固定することが可能であるという優れた効果を奏する。
【００４５】
また、本発明は、以上説明したように構成されているので、ＲＦＩＤタグからの情報を確実に取得することができるという優れた効果を奏する。
【図面の簡単な説明】
【００４６】
【図１】図１（ａ）（ｂ）は、従来の技術によるタグホルダーがガスボンベに取り付けられた状態を示す説明図であり、図１（ａ）は、ＲＦＩＤタグが収容されたケースに結束バンドが取り付けられたタグホルダーをガスボンベに取り付けた状態を示す説明図であり、また、図１（ｂ）は、シリコン製のシールによるタグホルダーをガスボンベに取り付けた状態を示す説明図である。
【図２】図２（ａ）（ｂ）は、従来の技術によるタグホルダーがガスボンベに取り付けられた状態を示す説明図であり、図２（ａ）は、垂直方向にＲＦＩＤタグを収容する収容部に、ネックリングと保護部材とにより固定される固定部が配設されたタグホルダーをガスボンベに取り付けた状態を示す説明図であり、また、図２（ｂ）は、水平方向にＲＦＩＤタグを収容する収容部に、ネックリングと保護部材とにより構成される固定部が配設されたタグホルダーをガスボンベに取り付けた状態を示す説明図である。
【図３】図３（ａ）（ｂ）は、ガスボンベが積載された車両が、ＲＦＩＤリーダライターが設置されたゲートを通過する状態を示す説明図であり、図３（ａ）は、ＲＦＩＤリーダライターがゲートにおいて、ガスボンベの側方側に設置された状態を示す説明図であり、また、図３（ｂ）は、ＲＦＩＤリーダライターがゲートにおいて、ガスボンベの上方側に設置された状態を示す説明図である。
【図４】図４（ａ）は、保護部材の前方側からの概略構成斜視説明図であり、また、図４（ｂ）は、保護部材の後方側からの概略構成斜視説明図である。
【図５】図５は、本発明の第１の実施の形態によるタグホルダーの概略構成斜視説明図である。
【図６】図６は、本体部の正面図である。
【図７】図７は、本体部の背面図である。
【図８】図８は、本体部の上面図である。
【図９】図９は、本体部の右側面図である。
【図１０】図１０（ａ）（ｂ）は、本発明の第１の実施の形態によるタグホルダーを保護部材に固定した状態を示す説明図である。
【図１１】図１１は、本発明の第１の実施の形態によるタグホルダーを、図１０に示した状態より上方側に回動して保護部材に固定した状態を示す説明図である。
【図１２】図１２は、本発明の第２の実施の形態によるタグホルダーの概略構成斜視説明図である。
【図１３】図１３（ａ）（ｂ）は、本発明の第２の実施の形態によるタグホルダーを保護部材に固定した状態を示す説明図である。
【図１４】図１４は、本発明の第２の実施の形態によるタグホルダーを、図１３に示した状態より上方側に回動して保護部材に固定した状態を示す説明図である。
【図１５】図１５（ａ）（ｂ）（ｃ）は、本発明の第１の実施の形態によるタグホルダーの変形例を示す説明図である。
【図１６】図１６（ａ）（ｂ）（ｃ）は、本発明の第２の実施の形態によるタグホルダーの変形例を示す説明図である。
【図１７】図１７（ａ）は、本発明の第１の実施の形態によるタグホルダーの変形例を示す説明図であり、また、図１７（ｂ）は、本発明の第２の実施の形態によるタグホルダーの変形例を示す説明図である。
【発明を実施するための形態】
【００４７】
以下、添付の図面を参照しながら、本発明によるタグホルダーの実施の形態の一例を詳細に説明するものとする。
【００４８】
まず、図５乃至図９を参照しながら、本発明によるタグホルダーの第１の実施の形態について説明する。
【００４９】
図５には、本発明の第１の実施の形態によるタグホルダーの概略構成斜視説明図が示されており、また、図６には、本体部の正面図が示されており、また、図７には、本体部の背面図が示されており、また、図８には、本体部の上面図が示されており、また、図９には、本体部の右側面図が示されている。
【００５０】
この図５に示す本発明によるタグホルダー１０は、ガスボンベのネックリングに固定され、バルブを保護する保護部材１００（図４（ａ）（ｂ）を参照する。）の固定機構に取り付けられるようにしたものである。
【００５１】
即ち、タグホルダー１０は、全体の形状が略Ｔ字形状であって、ＲＦＩＤタグを収容するとともに、ガスボンベにおけるバルブを保護するための保護部材１００に固定される本体部１２と、本体部１２にＲＦＩＤタグを収容するスペースに蓋をする蓋部１４とを有して構成されている。
【００５２】
なお、タグホルダー１０を構成する本体部１２と蓋部１４とは、それぞれＰＰＥ（Ｐｏｌｙ  Ｐｈｅｎｙｌｅｎｅ  Ｅｔｈｅｒ）樹脂を材料として作製される。
【００５３】
このＰＰＥ樹脂としては、メタロセン触媒を用いて重合したＰＰＥ樹脂、ＰＰＥのクロス共重合体による樹脂組成物および各種の変性ＰＰＥ樹脂を含むものとする。
【００５４】
より詳細には、本体部１２は、ＲＦＩＤタグを収容する収容部１６と、収容部１６の背面１６ａにおいて、ＸＹＺ直交座標系のＹ軸方向に沿って後方側に延設された固定部１８とを有して構成されている。
【００５５】
収容部１６は、ＸＺ平面に平行に、Ｘ軸方向に延設された略直方体形状に形成されており、前面１６ｂにおいて、蓋部１４が着脱可能な凹部２０が形成されており、凹部２０の略中央位置には、ＲＦＩＤタグを収容する収容スペース２２が形成されている。
【００５６】
凹部２０においては、上面２０ａに凸部２０ａ−１、２０ａ−２が形成されており、この凸部２０ａ−１、２０ａ−２は、本体部１２に蓋部１４を取り付ける際に、蓋部１４の上面１４ａに形成された凹部１４ａ−１、１４ａ−２（後述する。）と係合可能な位置に配設されている。
【００５７】
さらに、凹部２０の下面２０ｂには、凹部２０ｂ−１、２０ｂ−２が形成されており、この凹部２０ｂ−１、２０ｂ−２は、本体部１２に蓋部１４を取り付ける際に、蓋部１４の下面１４ｂに形成された凸部１４ｂ−１、１４ｂ−２（後述する。）と係合可能な位置に配設されている。
【００５８】
また、収容スペース２２は、蓋部１４を取り付けた際に、収納したＲＦＩＤタグを固定的に保持することが可能な形状となっている。なお、この収容スペース２２においては、例えば、テープなどによりＲＦＩＤタグを固定するようにしてもよい。
【００５９】
また、収容部１６は、例えば、長さＬ１が８０〜１００ｍｍ、高さＨ１が２５ｍｍに設計される。
【００６０】
固定部１８は、収容部１６の背面１６ａの略中央位置においてＹ軸方向に延設された板状部材であって、収容部１６から固定部１８にかけて、収容部１６と固定部１８との接合を補強する補強部材２４−１、２４−２、２４−３、２４−４、２４−５、２４−６が配設されている。
【００６１】
補強部材２４−１、２４−２は、収容部１６の背面１６ａから固定部１８の左側面１８ａにかけて略Ｌ字形状で形成される。従って、収容部１６において、収容部１６に対して固定部１８が左方側に曲がる負荷が掛けられたときには、補強部材２４−１、２４−２によって、収容部１６と固定部１８との接合部分において、収容部１６に対して固定部１８が左方側に折れ曲がり難くなる。
【００６２】
また、補強部材２４−３、２４−４は、収容部１６の背面１６ａから固定部１８の右側面１８ｂにかけて略Ｌ字形状で形成される。従って、収容部１６において、収容部１６に対して固定部１８が右方側に曲がる負荷が掛けられたときには、補強部材２４−３、２４−４によって、収容部１６と固定部１８との接合部分において、収容部１６に対して固定部１８が右方側に折れ曲がり難くなる。
【００６３】
さらに、補強部材２４−５は、収容部１６の背面１６ａから固定部材１８の上面１８ｃにかけて略Ｌ字形状で形成される。従って、収容部１６において、収容部１６に対して固定部１８が上方側に曲がる負荷がかけられたときには、補強部材２４−５によって、収容部１６と固定部１８との接合部分において収容部１６に対して固定部１８が上方側に折れ曲がり難くなる。
【００６４】
さらにまた、補強部材２４−６は、収容部１６の背面１６ａから固定部材１８の下面１８ｄにかけて略Ｌ字形状で形成される。従って、収容部１６において、収容部１６に対して固定部材１８が下方側に曲がる負荷がかけられたときには、補強部材２４−６によって、収容部１６と固定部１８との接合部分において収容部１６に対して固定部１８が下方側に折れ曲がり難くなる。
【００６５】
固定部１８は、左側面１８ａから右側面１８ｂまで貫通するように孔１８−１が配設されている。
【００６６】
この孔１８−１の径は、ガスボンベのバルブを保護するための保護部材１００をネックリングに固定するためのネジ１１０を挿入することが可能な径に設計されており、例えば、凸部１０８ａの孔１０８ａ−１の径や凸部１０８ｂの孔１０８ｂ−１の径と一致する径とする。
【００６７】
また、固定部１８の厚さｔは、ネジ１１０およびナット１１２により、凸部１０８ａ、１０８ｂを介してスリット部１０４の間隔を狭め、保持部材１００をネックリングに固定したときの凸部１０８ａと凸部１０８ｂとの間隔Ｇと一致する値、もしくは、わずかに小さい値とすることが好ましい。
【００６８】
さらに、固定部１８の長さＬ３は、例えば、２５ｍｍに設計される。
【００６９】
蓋部１４は、凹部２０に着脱可能な略板形状となっており、上面１４ａに凹部１４ａ−１、１４ａ−２が形成され、下面１４ｂに凸部１４ｂ−１、１４ｂ−２が形成されている。
【００７０】
そして、蓋部１４を本体部１２に取り付ける際には、蓋部１４を凹部２０に挿入し、蓋部１４の上面１４ａに形成された凹部１４ａ−１、１４ａ−２と凹部２０の上面２０ａに形成された凸部２０ａ−１、２０ａ−２とを係合させるとともに、蓋部１４の下面１４ｂに形成された凸部１４ｂ−１、１４ｂ−２と凹部２０の下面２０ｂに形成された凹部２０ｂ−１、２０ｂ−２とを係合させるようにする。
【００７１】
以上の構成において、タグホルダー１０をガスボンベに取り付ける際の手順について説明する。
【００７２】
まず、本体部１２の収容スペース２２にＲＦＩＤタグを収納した後、蓋部１４を本体部１２取り付けることにより、タグホルダー１０にＲＦＩＤタグを収容する。
【００７３】
次に、ＲＦＩＤタグを収容したタグホルダー１０は、固定部１８を保護部材１００の凸部１０８ａと凸部１０８ｂとの間に挿入する。このとき、固定部１８の孔１８−１と凸部１０８ａの孔１０８ａ−１と凸部１０８ｂの孔１０８ｂ−１とが連通するようにする。
【００７４】
その後、凸部１０８ａの右方側から、連通した孔１８−１、孔１０８ａ−１および孔１０８ｂ−１にネジ１１０を挿入し、凸部１０８ｂの左方側に載置されたナット１１２にネジ１１０をネジ結合させる（図１０（ａ）（ｂ）を参照する。）。
【００７５】
これにより、固定部１８は、ネジ１１０が挿入されるとともに凸部１０８ａ、１０８ｂにより挟まれることとなり、タグホルダー１０は、固定部１８を介して保護部材１００に固定されることとなる。
【００７６】
つまり、タグホルダー１０は、固定部１８を保護部材１００に固定する際には、ネジ１１０により孔１８−１を中心として回動させて、タグホルダー１０の蓋部１４が取り付けられた面たる前面１０ａを後方側や後方側斜め上方などの所望の方向に向けた状態で、ネジ１１０とナット１１２とを締めることにより、前面１０ａが所望の方向に向いた状態で固定することができるようになる。
【００７７】
即ち、例えば、ゲートにおいてガスボンベの側方側にＲＦＩＤリーダライターが設置されているとき（図３（ａ）を参照する。）には、図１０（ａ）に示すように、前面１０ａが後方側に向くようにタグホルダー１０を固定する。
【００７８】
また、図３（ｂ）に示すように、ゲートにおいてガスボンベの上方側にＲＦＩＤリーダライターが配置されているときには、例えば、前面１０ａが可能な限り上方側に向くようにタグホルダー１０を固定するようにする。なお、このとき、ＲＦＩＤタグと保護部材１００とは、ＲＦＩＤタグが正常に機能する距離を確保する必要がある。なお、こうした距離は、例えば、固定部１８の長さＬ２の寸法を調整することにより確保することができる。
【００７９】
さらに、例えば、前面１０が後方側を向いている状態（図１０（ａ）に示す状態である。）から４５°上方側に回動した状態（図１１に示す状態である。）で固定すると、ガスボンベの側方側にＲＦＩＤリーダライターが設置されたゲートとガスボンベの上方側にＲＦＩＤリーダライターが設置されたゲートとで、各ＲＦＩＤリーダライターにおいてＲＦＩＤタグに記憶された情報が取得できるようになる。
【００８０】
次に、図１２を参照しながら、本発明によるタグホルダーの第２の実施の形態について説明する。
【００８１】
なお、以下の説明においては、図５乃至図９を参照しながら説明した本発明の第１の実施の形態によるタグホルダーと同一または相当する構成については、上記において用いた符号と同一の符号を用いて示すことにより、その詳細な構成ならびに作用効果の説明は適宜に省略することとする。
【００８２】
図２には、本発明の第２の実施の形態によるタグホルダーの概略構成斜視説明図が示されている。
【００８３】
この図１２に示すタグホルダー５０は、Ｘ軸方向に延設され、湾曲した略直方体形状であって、ＲＦＩＤタグを収容する収容部５６に固定部１８が接合されている点において上記したタグホルダー１０と異なっている。
【００８４】
なお、収納部５６については、所望の曲率半径に設定すればよく、好ましくは、保護部材１００の側面の曲率半径と略一致する曲率半径で湾曲するようにすればよい。
【００８５】
より詳細には、タグホルダー５０は、全体の形状が略Ｔ字形状であって、ＲＦＩＤタグを収容するとともに、ガスボンベにおけるバルブを保護するための保護部材１００に固定される本体部５２と、本体部５２のＲＦＩＤタグを収納するスペースに蓋をする蓋部５４とを有して構成されている。
【００８６】
なお、タグホルダー５０を構成する本体部５２と蓋部５４とは、タグホルダー１０と同様に、それぞれＰＰＥ樹脂材料として作製される。
【００８７】
このＰＰＥ樹脂としては、メタロセン触媒を用いて重合したＰＰＥ樹脂、ＰＰＥのクロス共重合体による樹脂組成物および各種の変性ＰＰＥ樹脂を含むものとする。
【００８８】
本体部５２は、ＲＦＩＤタグを収容する収容部５６と、収容部５６の背面５６ａにおいて、Ｙ軸方向に沿って後方側に延設された固定部材１８とを有して構成されている。
【００８９】
収容部５６は、Ｘ軸方向に延設され、所望の曲率半径で前方側に突出するように湾曲した略直方体形状に形成されており、前面５６ｂにおいて、蓋部５４が着脱可能な凹部６０が形成されており、凹部６０の略中央位置には、ＲＦＩＤタグを収容する収容スペース６２が形成されている。
【００９０】
凹部６０においては、上面６０ａに凸部６０ａ−１、６０ａ−２が形成されており、この凸部６０ａ−１、６０ａ−２は、本体部５２に蓋部５４を取り付ける際に、蓋部５４の上面５４ａに形成された凹部５４ａ−１、５４ａ−２（後述する。）と係合可能な位置に配設されている。
【００９１】
さらに、凹部６０の下面６０ｂには、凹部６０ｂ−１、６０ｂ−２が形成されており、この凹部６０ｂ−１、６０ｂ−２は、本体部５２に蓋部５４を取り付ける際に、蓋部５４の下面５４ｂに形成された凸部５４ｂ−１、５４ｂ−２（後述する。）と係合可能な位置に配設されている。
【００９２】
また、収容スペース６２は、蓋部５４を取り付けた際に、収納したＲＦＩＤタグを固定的に保持することが可能な形状となっている。なお、この収容スペース６２においては、例えば、テープなどによりＲＦＩＤタグを固定するようにしてもよい。
【００９３】
また、収容部５６は、例えば、左方側端部から右方側端部までの長さＬ３が８０〜１００ｍｍ、高さＨ２が２５ｍｍに設計される。
【００９４】
そして、収容部５６の背面５６ａにおいて、収容部５６から固定部１８にかけて収容部５６と固定部１８との接合を補強する補強部材２４−１、２４−２、２４−３、２４−４、２４−５、２４−６が配設されている。
【００９５】
蓋部５４は、収容部５６の曲率半径と一致する曲率半径で前方側に突出するように湾曲することが可能であり、凹部６０に着脱可能な略板形状となっており、上面５４ａに凹部５４ａ−１、５４ａ−２が形成され、下面５４ｂに凸部５４ｂ−１、５４ｂ−２が形成されている。
【００９６】
そして、蓋部５４を本体部５２に取り付ける際には、蓋部５４を凹部６０に挿入し、蓋部５４の上面５４ａに形成された凹部５４ａ−１、５４ａ−２と凹部６０の上面６０ａに形成された凸部６０ａ−１、６０ａ−２とを係合させるとともに、蓋部５４の下面１４ｂに形成された凸部５４ｂ−１、５４ｂ−２と凹部６０の下面６０ｂに形成された凹部６０ｂ−１、６０ｂ−２とを係合させるようにする。
【００９７】
以上の構成において、タグホルダー５０をガスボンベに取り付ける際の手順について説明する。
【００９８】
まず、本体部５２の収容スペース６２にＲＦＩＤタグを収納した後、蓋部５４を本体部５２取り付けることにより、タグホルダー５０にＲＦＩＤタグを収容する。
【００９９】
次に、ＲＦＩＤタグを収容したタグホルダー５０は、固定部１８を保護部材１００の凸部１０８ａと凸部１０８ｂとの間に挿入する。このとき、固定部１８の孔１８−１と凸部１０８ａの孔１０８ａ−１と凸部１０８ｂの孔１０８ｂ−１とが連通するようにする。
【０１００】
その後、凸部１０８ａの右方側から、連通した孔１８−１、孔１０８ａ−１および孔１０８ｂ−１にネジ１１０を挿入し、凸部１０８ｂの左方側に載置されたナット１１２にネジ１１０をネジ結合させる（図１３（ａ）（ｂ）を参照する。）。
【０１０１】
これにより、固定部１８は、ネジ１１０が挿入されるとともに凸部１０８ａ、１０８ｂにより挟まれることとなり、タグホルダー５０は、固定部１８を介して保護部材１００に固定されることとなる。
【０１０２】
つまり、タグホルダー５０は、固定部１８を保護部材１００に固定する際には、ネジ１１０により孔１８−１を中心として回動させて、タグホルダー５０の蓋部５４が取り付けられた面たる前面５０ａを後方側や後方側斜め上方などの所望の方向に向けた状態で、ネジ１１０とナット１１２とを締めることにより、前面５０ａが所望の方向に向いた状態で固定することができるようになる。
【０１０３】
即ち、例えば、ゲートにおいてガスボンベの側方側にＲＦＩＤリーダライターが設置されているとき（図３（ａ）を参照する。）には、図１３（ａ）に示すように、前面５０ａが後方側に向くようにタグホルダー１０を固定する。
【０１０４】
また、図３（ｂ）に示すように、ゲートにおいてガスボンベの上方側にＲＦＩＤリーダライターが配置されているときには、例えば、前面５０ａが可能な限り上方側に向くようにタグホルダー５０を固定するようにする。なお、このとき、ＲＦＩＤタグと保護部材１００とは、ＲＦＩＤタグが正常に機能する距離を確保する必要がある。なお、こうした距離は、例えば、固定部１８の長さＬ２の寸法を調整することにより確保することができる。
【０１０５】
さらに、例えば、前面５０が後方側を向いている状態（図１０（ａ）に示す状態である。）から４５°上方側に回動した状態（図１４に示す状態である。）で固定すると、ガスボンベの側方側にＲＦＩＤリーダライターが設置されたゲートとガスボンベの上方側にＲＦＩＤリーダライターが設置されたゲートとで、各ＲＦＩＤリーダライターにおいてＲＦＩＤタグに記憶された情報が取得できるようになる。
【０１０６】
以上において説明したように、本発明によるタグホルダー１０は、Ｘ軸方向に延設され、ＲＦＩＤタグを収容する収容部１６の背面１６ａからＹ軸方向に沿って後方側に固定部１８が延設されるようにしたものであり、固定部１８において孔１８−１が形成されるようにしたものである。
【０１０７】
そして、本発明によるタグホルダー１０は、ガスボンベのネックリングに対して、ネジ１１０およびナット１１２により固定される保護部材１００において、ネジ１１０およびナット１１２を取り付ける凸部１０８ａ、１０８ｂの間に固定部１８を挿入し、凸部１０８ａに形成された孔１０８Ａａ−１、固定部１８に形成された孔１８−１および凸部１０８ｂに形成された孔１８０ｂ−１を連通させ、この連通した孔にネジ１１０を挿入して、ナット１１２でネジ１１０を固定したものである。
【０１０８】
これにより、本発明によるタグホルダー１０においては、保護部材１００における固定機構において固定されることとなり、容易に取り外すことができなくなる。
【０１０９】
このため、本発明によるタグホルダー１０によれば、保護部材１００に固定されると、紛失されなくなるとともに、故意による取り替えなどが生じ難くなる。
【０１１０】
また、本発明によるタグホルダー１０においては、保護部材１００における固定機構において固定されているため、収容したＲＦＩＤタグをガスボンベにおける一定の方向に固定されることとなる。
【０１１１】
さらに、本発明によるタグホルダー１０においては、ネジ１１０の軸を中心として回動させて、所望の位置で固定することが可能であるため、ＲＦＩＤリーダライターがガスボンベが通過する側方側に配置されていても、あるいは、上方側に配置されていても、当該ＲＦＩＤリーダライターが配置されている方向や双方のＲＦＩＤリーダライターが収容されたＲＦＩＤタグの情報を読み込むことができる方向に向けることができる。
【０１１２】
このため、本発明によるタグホルダー１０によれば、ＲＦＩＤタグからの情報を確実に取得することができるようになる。
【０１１３】
また、本発明によるタグホルダー５０は、Ｘ軸方向に延設され、湾曲した略矩形形状であり、ＲＦＩＤタグを収容する収容部５６の背面５６ａからＹ軸方向に沿って後方側に固定部１８を延設するようにしたものであり、この固定部１８には孔１８−１を形成するようにしたものである。
【０１１４】
そして、本発明によるタグホルダー５０は、ガスボンベのネックリングに対して、ネジ１１０およびナット１１２により固定される保護部材１００において、ネジ１１０およびナット１１２を取り付ける凸部１０８ａ、１０８ｂの間に固定部１８を挿入し、凸部１０８ａに形成された孔１０８Ａａ−１、固定部１８に形成された孔１８−１および凸部１０８ｂに形成された孔１８０ｂ−１を連通させ、この連通した孔にネジ１１０を挿入して、ナット１１２でネジ１１０を固定したものである。
【０１１５】
これにより、本発明によるタグホルダー５０においては、保護部材１００における固定機構において固定されることとなり、容易に取り外すことができなくなる。
【０１１６】
このため、本発明によるタグホルダー５０によれば、保護部材１００に固定されると、紛失されなくなるとともに、故意による取り替えなどが生じ難くなる。
【０１１７】
また、本発明によるタグホルダー５０においては、保護部材１００における固定機構において固定されているため、収容したＲＦＩＤタグをガスボンベにおける一定の方向に固定されることとなる。
【０１１８】
さらに、本発明によるタグホルダー５０においては、ネジ１１０の軸を中心として回動させて、所望の位置で固定することが可能であるため、ＲＦＩＤリーダライターがガスボンベが通過する側方側に配置されていても、あるいは、上方側に配置されていても、当該ＲＦＩＤリーダライターが配置されている方向や双方のＲＦＩＤリーダライターが収容されたＲＦＩＤタグの情報を読み込むことができる方向に向けることができる。
【０１１９】
このため、本発明によるタグホルダー５０によれば、ＲＦＩＤタグからの情報を確実に取得することができるようになる。
【０１２０】
さらにまた、タグホルダー５０は、収容部５６が湾曲して形成されているため、上記した第１の実施の形態によるタグホルダー１０と比較して、収容部５６の左方側端部や右方側端部が作業者の衣類や手などに引っかかり難くなり、破損し難くなる。
【０１２１】
また、本発明によるタグホルダー１０、５０は、作製する際に使用する材料の量が比較的少なくて済み、防水性や耐候性などの諸特性を考慮して、適当な材料を使用することにより、安価に作製することができるものである。
【０１２２】
さらに、本発明によるタグホルダー１０、５０は、保護部材１００の固定機構において、保護部材１００と収容部１６、５６とが一定の距離を空けて固定されることとなるので、タグホルダー１０、５０と保護部材１００の固定部分に堆積した塵芥を、容易に除去することができる。
【０１２３】
このため、本発明によるタグホルダー１０、５０は、清潔にする必要のある医療用のガスボンベに取り付けるタグホルダーとして用いて好適である。
【０１２４】
なお、上記した実施の形態は、以下の（１）乃至（１０）に示すように変形するようにしてもよい。
【０１２５】
（１）上記した実施の形態においては、補強部材２４−１、２４−２、２４−３、２４−４、２４−５、２４−６を略Ｌ字形状となるように形成するようにしたが、これに限られるものではないことは勿論であり、補強部材２４−１、２４−２、２４−３、２４−４、２４−５、２４−６の形状としては、タグホルダー１０においては図１５（ａ）、図１６（ａ）に示すように直角三角形状としてもよい。
【０１２６】
これにより、より強固に固定部１８を収容部１６、５６に接合することができるようになる。
【０１２７】
（２）上記した実施の形態においては、特に説明しなかったが、補強部材２４−１、２４−２、２４−３、２４−４の固定部１８に延設された部分をさらに延設して、タグホルダー１０、５０に負荷がかけられても、凸部１０８ａ、１０８ｂの先端部近傍において、固定部１８が折れ難い構成としてもよい。
【０１２８】
具体的には、補強部材２４−１、２４−２、２４−３、２４−４において固定部１８の左方側１８ａおよび右方側１８ｂまで延設された後端部を、タグホルダー１０、５０を保護部材１００に固定したときに、凸部１０８ａ、１０８ｂに当接するまで延設するようにしてもよいし、凸部１０８ａ、１０８ｂの近傍まで延設するようにしてもよい（図１５（ｂ）、図１６（ｂ）を参照する。）。
【０１２９】
（３）上記した実施の形態においては、特に記載しなかったが、収容部１６の背面１６ａや収容部５６の背面５６ａから延設された部材により、タグホルダー１０、５０に負荷がかけられても、凸部１０８ａ、１０８ｂの先端部近傍において、固定部１８が折れ難い構成としてもよい。
【０１３０】
即ち、補強部材２４−１、２４−２、２４−３、２４−４において収容部１６の背面１６ａに延設された左方側端部および右方側端部から、Ｙ軸方向に沿って後方側に延設部２６を形成するようにし、タグホルダー１０、５０を保護部材１００に固定したときに、延設部２６を後端部が保護部材１００に当接するまで延設するようにしてもよいし、延設部２６を後端部が保護部材１００の近傍まで延設するようにしてもよい（図１４（ｃ）、図１６（ｃ）を参照する。）。つまり、延設部２６は、固定部１８が延設された方向と平行に延設されることとなる。
【０１３１】
なお、こうした延設部２６は、補強部材２４−１、２４−２、２４−３、２４−４において収容部１６の背面１６ａに延設された左方側端部および右方側端部から延設するのではなく、収容部１６の背面１６ａからＹ軸方向に沿って後方側に延設されるようにしてもよい。このときには、固定部１８を中心として左右対称な位置に延設部２６が配設されるようにする。
【０１３２】
（４）上記した実施の形態においては、固定部１８において孔１８−１を形成するようにしたが、これに限られるものではないことは勿論であり、固定部１８において孔１８−１に換えて長孔１８−２を形成するようにしてもよい（図１７（ａ）（ｂ）を参照する。）。
【０１３３】
これにより、タグホルダー１０、５０においては、この長孔１８−２におけるネジ１１０の固定位置を調整することにＲＦＩＤタグと保護部材１１０との距離を調整することができるようになる。
【０１３４】
（５）上記した実施の形態においては、タグホルダー１０、５０において、本体部１２、５２および蓋部１４、５４をＰＰＥ樹脂や変性ＰＰＥ樹脂を材料として作製されるようにしたが、これに限られるものではないことは勿論であり、本体部１２、５２および蓋部１４、５４を作製する材料としては、ポリエチレン、ポリプロピレン、ポリスチレンなどの各種の熱可塑性樹脂、あるいは、エポキシ樹脂、フェノール樹脂、メラミン樹脂、シリコン樹脂などの各種の熱硬化性樹脂を用いるようにしてもよい。
【０１３５】
（６）上記した実施の形態においては、タグホルダー５０において、収容部５６は所望の曲率半径で湾曲するようにしたが、所望の曲率半径としては、具体的には、収容部５６は、収容スペース６２にＲＦＩＤタグが収容されたときに、収容されたＲＦＩＤタグが折れなければ、どのような値の曲率半径であってもよい。
【０１３６】
（７）上記した実施の形態においては、タグホルダー１０、５０により保持されるタグとしてＲＦＩＤタグを示したが、これに限られるものではないことは勿論であり、ＲＦＩＤタグ以外のタグでも板状の形態を備えたものであるならば、本発明によるタグホルダー１０、５０を適用することができる。
【０１３７】
（８）上記した実施の形態においは、補強部材２４−１、２４−２、２４−３、２４−４、２４−５、２４−６を設けるようにしたが、こうした補強部材を設けることなくタグホルダー１０、５０を構成するようにしてもよいことは勿論である。
【０１３８】
この場合、収容部１５、５６と固定部１８との接合強度や、タグホルダー１０、５０を作製する材料の特性を考慮する必要がある。
【０１３９】
（９）上記した実施の形態においては、収納スペース２２、６２にＲＦＩＤタグをテープなどで固定した状態で、凹部２０に蓋部１４、５４を取り付けて収容部１６、５６にＲＦＩＤタグを収容するようにしたが、これに限られるものではないことは勿論であり、収容部を略直方体状に作製し、右側面あるいは左側面からＲＦＩＤタグを挿入することにより、当該収容部にＲＦＩＤタグを収容するようにしてもよい。
【０１４０】
（１０）上記した実施の形態ならびに上記した（１）乃至（９）に示す変形例は、適宜に組み合わせるようにしてもよい。
【産業上の利用可能性】
【０１４１】
本発明は、ガスボンベに取り付けるタグホルダーとして用いて好適である。
【符号の説明】
【０１４２】
１０、５０        タグホルダー
１２、５２        本体部
１４、５４        蓋部
１６、５６        収容部
１８        固定部
１８−１、１０８ａ−１、１０８ｂ−１        孔
１８−２        長孔
２０、６０        凹部
２２、６２        収容スペース
２４−１、２４−２、２４−３、２４−４、２４−５、２４−６        補強部材
２６        延設部
１００        保護部材
１０１、１０２        開口部
１０４        スリット部
１０６        ネジ溝
１０８ａ、１０８ｂ        凸部
１１０        ネジ
１１２        ナット
【図１】
2015114720.tif 000003
【図２】
2015114720.tif 000004
【図３】
2015114720.tif 000005
【図４】
2015114720.tif 000006
【図５】
2015114720.tif 000007
【図６】
2015114720.tif 000008
【図７】
2015114720.tif 000009
【図８】
2015114720.tif 000010
【図９】
2015114720.tif 000011
【図１０】
2015114720.tif 000012
【図１１】
2015114720.tif 000013
【図１２】
2015114720.tif 000014
【図１３】
2015114720.tif 000015
【図１４】
2015114720.tif 000016
【図１５】
2015114720.tif 000017
【図１６】
2015114720.tif 000018
【図１７】
2015114720.tif 000019